(57)【要約】【課題】鉄骨柱と鉄筋コンクリート柱とを併用して上側床スラブを支持してある建物の施工方法において、柱鉄筋先組ユニットを下側床スラブ側に立設した後、上側床スラブを構築し終えるまでの工期を短縮できるようにする。【解決手段】鉄骨柱１と柱鉄筋先組ユニット２とを下側床スラブ３側に立設し、鉄骨柱と、柱鉄筋先組ユニットにコンクリートを打設して構築した鉄筋コンクリート柱４とで、コンクリート製の上側床スラブを支持してある建物の施工方法であって、鉄骨柱と柱用鉄筋先組ユニットとに亘って鉄骨梁２９を架設した後、鉄筋コンクリート柱を構築するコンクリートと、鉄骨梁で支持される上側床スラブを構築するコンクリートとを略同時に打設する。【選択図】図６
2007332642.tif 000002
【特許請求の範囲】
【請求項１】
鉄骨柱と柱鉄筋先組ユニットとを下側床スラブ側に立設し、
前記鉄骨柱と、前記柱鉄筋先組ユニットにコンクリートを打設して構築した鉄筋コンクリート柱とで、コンクリート製の上側床スラブを支持してある建物の施工方法であって、
前記鉄骨柱と前記柱用鉄筋先組ユニットとに亘って鉄骨梁を架設した後、
前記鉄筋コンクリート柱を構築するコンクリートと、前記鉄骨梁で支持される上側床スラブを構築するコンクリートとを略同時に打設する建物の施工方法。
【請求項２】
前記下側床スラブを、柱設置予定箇所に配置した複数の免震装置を介して、基礎に支持しておき、
前記鉄骨柱と前記柱鉄筋先組ユニットとを前記免震装置の上部に位置させて立設する請求項１記載の建物の施工方法。
【発明の詳細な説明】
【技術分野】
【０００１】
本発明は、鉄骨柱と柱鉄筋先組ユニットとを下側床スラブ側に立設し、前記鉄骨柱と、前記柱鉄筋先組ユニットにコンクリートを打設して構築した鉄筋コンクリート柱とで、コンクリート製の上側床スラブを支持してある建物の施工方法に関する。
【背景技術】
【０００２】
鉄骨柱と鉄筋コンクリート柱とを併用して上側床スラブを支持してある建物の施工方法では、従来、鉄骨柱と柱鉄筋先組ユニットとを下側床スラブ側に立設した後、柱鉄筋先組ユニットにコンクリートを打設して鉄筋コンクリート柱を構築してから、鉄骨柱と鉄筋コンクリート柱とに亘って梁材を架設して、その梁材で支持される上側床スラブを構築するためのコンクリートを打設している（周知慣用技術であり、先行技術文献情報を開示できない）。
【発明の開示】
【発明が解決しようとする課題】
【０００３】
鉄筋コンクリート柱や床スラブは、その構築にあたって、コンクリートを打設した後、所定期間に亘って養生する必要があるが、従来の施工方法では、鉄筋コンクリート柱を構築してから、鉄骨柱と鉄筋コンクリート柱とに亘って梁材を架設して、その梁材で支持される上側床スラブを構築しているので、柱鉄筋先組ユニットを下側床スラブ側に立設した後、上側床スラブを構築し終えるまでの工期として、鉄筋コンクリート柱の構築期間と、その後の上側床スラブの構築期間とを時期をずらせて各別に確保する必要があり、工期を短縮し難い欠点がある。
本発明は上記実情に鑑みてなされたものであって、鉄骨柱と鉄筋コンクリート柱とを併用して上側床スラブを支持してある建物の施工方法において、柱鉄筋先組ユニットを下側床スラブ側に立設した後、上側床スラブを構築し終えるまでの工期を短縮できるようにすることを目的とする。
【課題を解決するための手段】
【０００４】
本発明の第１特徴構成は、鉄骨柱と柱鉄筋先組ユニットとを下側床スラブ側に立設し、前記鉄骨柱と、前記柱鉄筋先組ユニットにコンクリートを打設して構築した鉄筋コンクリート柱とで、コンクリート製の上側床スラブを支持してある建物の施工方法であって、前記鉄骨柱と前記柱用鉄筋先組ユニットとに亘って鉄骨梁を架設した後、前記鉄筋コンクリート柱を構築するコンクリートと、前記鉄骨梁で支持される上側床スラブを構築するコンクリートとを略同時に打設する点にある。
【０００５】
〔作用及び効果〕
鉄筋コンクリート柱を構築するコンクリートを打設する前に、鉄骨柱と柱用鉄筋先組ユニットとに亘って鉄骨梁を架設して、鉄筋コンクリート柱を構築するコンクリートと、鉄骨梁で支持される上側床スラブを構築するコンクリートとを略同時に打設するので、鉄筋コンクリート柱と上側床スラブとを構築するにあたって、鉄筋コンクリート柱の構築期間と、上側床スラブの構築期間とをラップさせることができ、柱鉄筋先組ユニットを下側床スラブ側に立設した後、上側床スラブを構築し終えるまでの工期を短縮できる。
【０００６】
本発明の第２特徴構成は、前記下側床スラブを、柱設置予定箇所に配置した複数の免震装置を介して、基礎に支持しておき、前記鉄骨柱と前記柱鉄筋先組ユニットとを前記免震装置の上部に位置させて立設する点にある。
【０００７】
〔作用及び効果〕
下側床スラブを、柱設置予定箇所に配置した複数の免震装置を介して、基礎に支持しておき、鉄骨柱と柱鉄筋先組ユニットとを免震装置の上部に位置させて立設するので、地震による影響を受け難い建物を短い工期で施工できる。
【発明を実施するための最良の形態】
【０００８】
以下に本発明の実施の形態を図面に基づいて説明する。
図１〜図７は、鉄骨柱１と柱鉄筋先組ユニット２とを下側床スラブ３側に立設し、鉄骨柱１と、柱鉄筋先組ユニット２にコンクリートを打設して構築した鉄筋コンクリート柱４とで、コンクリート製の上側床スラブ５を支持してある建物の本発明による施工方法を示している。
【０００９】
以下、図面を参照しながら、工程順に説明する。
図１に示すように、地盤６を掘削して、免震装置設置予定箇所の地盤部分７を必要に応じて改良したり或いは杭を打ち込み、捨コン８を打設した後、捨コン８の上に耐圧板用の鉄筋９を敷設するとともに、免震装置設置予定箇所に基礎鉄筋先組ユニット１０を設置し、建物外周部に沿うようにＰＣａ板１１を設置する。
【００１０】
次に、捨コン８と基礎鉄筋先組ユニット１０とにコンクリートを打設して、図２に示すように、耐圧板１２とフーチング１３とが一体の建物基礎１４を構築し、各フーチング１３に免震装置１５を据え付けるとともに、柱主筋（ねじ鉄筋）１６と大梁主筋（ねじ鉄筋）１７とを組み込んであるアンカーフレーム１８を、各免震装置１５の上部に据え付ける。
【００１１】
次に、図３に示すように、隣り合うアンカーフレーム１８どうしの間に、仮受支柱１９で支持される梁下型枠２０を設置して、梁鉄筋先組ユニット２１を据え付け、大梁主筋１７と梁鉄筋先組ユニット２１とを機械式（ねじ式）継手２２で連結して、梁鉄筋先組ユニット２１に床フェローデッキ（トラス筋付き捨型枠）などのデッキ２３を敷設し、側型枠２４を設置する。
【００１２】
次に、アンカーフレーム１８と梁鉄筋先組ユニット２１及びデッキ２３にコンクリートを打設して、図４に示すように、各免震装置１５を介して、建物基礎１４に支持されている下側床スラブ３を構築する。
【００１３】
次に、図５に示すように、柱主筋（ねじ鉄筋）２５を上向きに突出させてある柱鉄筋先組ユニット２を、建物外周側に配置してある免震装置１５の上部に位置させて下側床スラブ３に立設して、アンカーフレーム１８の柱主筋１６に機械式（ねじ式）継手２６で連結し、隣り合う柱鉄筋先組ユニット２どうしの間に設置した壁鉄筋先組ユニット（図外）を、柱鉄筋先組ユニット２に機械式（ねじ式）継手で連結して、側型枠２７を設置する。
【００１４】
次に、図６に示すように、鉄骨柱１を残りの免震装置１５の上部に位置させて下側床スラブ３に立設固定し、鉄骨梁用の仮受支柱２８を設置して、鉄骨柱１と柱用鉄筋先組ユニット２とに亘って架設した鉄骨梁２９を、鉄骨柱１とはボルト・ナットで一体に固定し、柱鉄筋先組ユニット２とは、ユニット内部に所定長さを挿入して仮受支柱２８により仮固定するとともに、隣り合う鉄骨柱１どうしに亘って架設した鉄骨梁２９をボルト・ナットで一体に固定し、鉄骨梁２９に支持される床フェローデッキなどのデッキ３０を敷設する。
【００１５】
次に、鉄筋コンクリート柱４及び鉄筋コンクリート壁３１を構築するコンクリートと、鉄骨梁２９で支持される上側床スラブ５を構築するコンクリートとを略同時に打設する。
つまり、柱鉄筋先組ユニット２と壁鉄筋先組ユニットとにコンクリートを打設し、続いて、デッキ３０にコンクリートを打設して、図７に示すように、鉄筋コンクリート柱４と鉄筋コンクリート壁３１と上側床スラブ５とを構築する。
【００１６】
更に上層階の床スラブを構築するときには、構築済みの上側床スラブ５を下側床スラブ３とし、上層階の床スラブを新たに構築する上側床スラブ５として、図５〜図７に示した工程を繰り返す。
【００１７】
〔その他の実施形態〕
１．本発明による建物の施工方法は、鉄筋コンクリート柱を構築するコンクリートと、上側床スラブを構築するコンクリートとを同時に打設しても、上側床スラブを構築するコンクリートを打設し、続いて、鉄筋コンクリート柱を構築するコンクリートを打設しても良い。
つまり、少なくとも、鉄筋コンクリート柱を構築するコンクリートの養生期間と、上側床スラブを構築するコンクリートの養生期間とを互いにラップさせることができれば良い。
２．本発明による建物の施工方法は、鉄骨柱と鉄筋コンクリート柱とで、鉄筋コンクリート製の上側床スラブを支持してある建物の施工に使用しても良い。
【図面の簡単な説明】
【００１８】
【図１】建物の施工方法の説明図
【図２】建物の施工方法の説明図
【図３】建物の施工方法の説明図
【図４】建物の施工方法の説明図
【図５】建物の施工方法の説明図
【図６】建物の施工方法の説明図
【図７】建物の施工方法の説明図
【符号の説明】
【００１９】
１  鉄骨柱
２  柱鉄筋先組ユニット
３  下側床スラブ
４  鉄筋コンクリート柱
５  上側床スラブ
１４  基礎
１５  免震装置
２９  鉄骨梁
【図１】
2007332642.tif 000003
【図２】
2007332642.tif 000004
【図３】
2007332642.tif 000005
【図４】
2007332642.tif 000006
【図５】
2007332642.tif 000007
【図６】
2007332642.tif 000008
【図７】
2007332642.tif 000009